(57)【特許請求の範囲】
【請求項１】
陳列室内に架設された商品陳列用の棚を備え、この棚には前記陳列室内を照明するための照明灯を取り付けて成るショーケースにおいて、
前記棚は、前記陳列室内に固定された固定棚部と、該固定棚部に対して前後移動可能に設けられた可動棚部とから成り、該可動棚部の停止位置により、前記棚の商品陳列面積を変更可能とされており、前記照明灯は前記可動棚部の下面に取り付けられ、前記固定棚部の下面には、一端部が当該固定棚部に回動自在に枢支されたヒンジ部材を備え、前記照明灯への給電線は前記ヒンジ部材に沿って保持され、該ヒンジ部材の他端部から前記照明灯に向けて所定寸法引き出されると共に、前記可動棚部の移動に伴い、前記ヒンジ部材が回動するよう構成され、該ヒンジ部材と前記照明灯間の前記給電線周囲は、筒体にて被覆されていることを特徴とするショーケース。
【請求項２】
前記ヒンジ部材の一端部から延在し、前記固定棚部下面に摺動自在に当接する当接部を設けたことを特徴とする請求項１のショーケース。
【発明の詳細な説明】
【０００１】
【発明の属する技術分野】
本発明は、陳列室内に架設された商品陳列用の棚を備え、この棚に陳列室内を照明するための照明灯を取り付けて成るショーケースに関するものである。
【０００２】
【従来の技術】
従来よりこの種のショーケースは、上方に開放する断熱壁と、この断熱壁の両側に取り付けられた側板とにより陳列室が構成されており、断熱壁の上部前端には冷気を吐出する吐出口が形成されていると共に、断熱壁の下部前端には冷気を吸い込む吸込口が形成されている。
【０００３】
また、断熱壁の下部には、陳列室内を冷却するための冷却器及び送風機が取り付けられており、吐出口及び吸込口に連通している。これにより、冷却装置を運転すると断熱壁の前面開口にはエアーカーテンが形成される。
【０００４】
一方、陳列室内には、支柱に支持された一対のブラケット上に棚板を架設して成る棚装置が取り付けられている。また、陳列室内の上部には、陳列室内を照明するための照明灯が取り付けられている。そして、棚板上又は、陳列室の下部に設けられたデックパン上に商品を載置することにより、商品の陳列を行うと共に、照明灯によって、商品の照明を行っている。
【０００５】
【発明が解決しようとする課題】
他方、従来のショーケースでは、日々の商品の陳列状況に対応するために面積変更可能な棚装置が要求されている。しかしながら、係る面積変更可能な棚装置は、陳列室の上部に形成された照明によって、又は、移動不可能とされる棚装置に設けられる照明装置によってのみ陳列室内の照明を行っていたため、棚装置の面積変更によって、例えばデックパン上に陳列される商品を効果的に照明することができず、商品陳列に支障を来していた。
【０００６】
そこで、本発明は従来の技術的課題を解決するために成されたものであり、陳列室内における商品陳列能力及びレイアウトの自由度を著しく改善することができるショーケースを提供することを目的とする。
【０００７】
【課題を解決するための手段】
本発明のショーケースは、陳列室内に架設された商品陳列用の棚を備え、この棚には陳列室内を照明するための照明灯を取り付けて成るものであって、棚は、陳列室内に固定された固定棚部と、該固定棚部に対して前後移動可能に設けられた可動棚部とから成り、該可動棚部の停止位置により、棚の商品陳列面積を変更可能とされており、照明灯は可動棚部の下面に取り付けられ、固定棚部の下面には、一端部が当該固定棚部に回動自在に枢支されたヒンジ部材を備え、照明灯への給電線はヒンジ部材に沿って保持され、該ヒンジ部材の他端部から照明灯に向けて所定寸法引き出されると共に、可動棚部の移動に伴い、ヒンジ部材が回動するよう構成され、該ヒンジ部材と記照明灯間の給電線周囲は、筒体にて被覆されていることを特徴とする。
【０００８】
本発明によれば、陳列室内に架設された商品陳列用の棚を備え、この棚には陳列室内を照明するための照明灯を取り付けて成るショーケースにおいて、棚を、陳列室内に固定された固定棚部と、該固定棚部に対して前後移動可能に設けられた可動棚部とから構成し、該可動棚部の停止位置により、棚の商品陳列面積を変更可能としたので、商品の陳列量や商品自体の寸法などに応じて、可動棚部を移動し、棚の商品陳列面積を最適な広さに変更することができるようになる。これにより、陳列室内における商品陳列能力及びレイアウトの自由度を著しく改善することができるようになる。
【０００９】
特に、照明灯は可動棚部の下面に取り付けられているので、可動棚部の移動に伴って照明灯も移動することになる。これにより、固定棚部側に照明灯を取り付ける場合に比べて、照明灯が可動棚部の移動に干渉することも無くなると共に、常時可動棚部下方が照明されることになるので、可動棚部を前方に移動した状態で、奥側より手前側が暗くなるような不都合も解消されるものである。
【００１０】
また、固定棚部の下面に、一端部が当該固定棚部に回動自在に枢支されたヒンジ部材を設け、照明灯への給電線をヒンジ部材に沿って保持させ、該ヒンジ部材の他端部から照明灯に向けて所定寸法引き出すと共に、可動棚部の移動に伴い、ヒンジ部材が回動するよう構成したので、可動棚部の移動に伴い、ヒンジ部材は照明灯の電源線を保持した状態で回動する。
【００１１】
これにより、可動棚部の移動を許容するための電源線の余裕寸法の少なくとも一部をヒンジ部材にて保持することができるようになり、照明灯の電源線が棚下方に弛む不都合を抑制して棚下面の美観を向上させることができるようになると共に、可動棚部の移動時に電源線に加わる負荷も軽減することが可能となるものである。
【００１２】
更に、ヒンジ部材と照明灯間の給電線周囲を、筒体にて被覆したので、ヒンジ部材と照明灯間の給電線の弛みも防止することができるようになるものである。
【００１３】
請求項２の発明のショーケースは、請求項１において、ヒンジ部材の一端部から延在し、固定棚部下面に摺動自在に当接する当接部を設けたことを特徴とする。
【００１４】
請求項２の発明によれば、請求項１に加えてヒンジ部材の一端部から延在し、固定棚部下面に摺動自在に当接する当接部を設けたので、ヒンジ部材の他端部側が低くなる傾きの発生を解消し、回動を円滑化することが可能となるものである。
【００１５】
【発明の実施の形態】
次に、図面に基づき本発明の実施形態を詳述する。図１は本発明のショーケース１の縦断側面図を示している。本発明のショーケース１は、上方に開口する断面略コ字状の断熱壁２と、この断熱壁２の両側に取り付けられた側板３、３とから構成されている。更に、断熱壁２の内側にはそれぞれ間隔を存して仕切板４が取り付けられ、この仕切板４と断熱壁２間をダクト７としている。
【００１６】
仕切板４の底部には底板としてのデックパン９が設けられており、これら仕切板４及びデックパン９の内側を陳列室１１としている。断熱壁２の底壁２Ａとデックパン９との間には、前記ダクト７に連通される冷却室１３が形成されている。断熱壁２の底壁２Ａ上にはファンケース１４が設置されており、このファンケース１４には図示しない送風機が取り付けられている。冷却室１３内には、冷却装置の冷却器１５が設置されている。
【００１７】
また、陳列室１１内には、高さ及び取付角度が変更可能であると共に、陳列室１１内背部の図示しない支柱に取り付けられる一対のブラケット３１が架設されている。また、このブラケット３１には、詳細は後述する棚３０が架設されている。更に、断熱壁２の上部開口１２の上縁には、前記棚３０上に陳列される商品を照明するための照明灯３２が設けられている。
【００１８】
断熱壁２の背壁２Ｂの上部には、前記ダクト７と連通する吐出口１６が形成されていると共に、この吐出口１６には前方下部に冷気を吐出するための風向板１７が形成されている。また、前記デックパン９の前方には、冷却室１３に連通する吸込口１８が形成されている。
【００１９】
以上の構成により、前記送風機が運転されると冷却器１５と熱交換した冷気はダクト７内を上昇せられ、前記吐出口１６より陳列室１１内に吐出される。そして、前記吸込口１８から吸い込まれた冷気は再び送風機によって加速され、陳列室１１内に冷気が循環されて陳列室１１内は所定の温度に冷却される。
【００２０】
また、断熱壁２の底壁２Ａの下方には、機械室６が形成されており、この機械室６内には前記冷却器１５と所謂冷媒サイクルを形成する図示しない凝縮器及び図示圧縮機等が設けられている。また、この凝縮器の後方には、凝縮器用送風機が取り付けられており、機械室６前面には、図示しないグリルが形成され、グリルより吸気され、後方より廃熱が外部に排出される。
【００２１】
次に、図２乃至図１２を参照して本発明のショーケース１の棚３０について説明する。
図２は本発明のショーケース１の棚３０の可動棚部３３収納時の斜視図、図３は図２の棚３０の可動棚部３３収納時の底面図、図４は棚３０の一部拡大縦断正面図、図５は図２の棚３０の可動棚部３３収納時の側面図、図８は棚３０の可動棚部３３使用時の斜視図、図９は図８の棚３０の可動棚部３３使用時の底面図、図１１は図９における可動棚部３３の裏面にシート５０を貼付した状態の底面図、図１２は図８の棚３０の可動棚部３３使用時の側面図を示している。本発明のショーケース１の棚３０は、前記ブラケット３１に係合される固定棚部３４と、この固定棚部３４に対して前後に移動可能に設けられる可動棚部３３とから構成される。
【００２２】
前記固定棚部３４は、例えば鋼板性材料にて構成される板状部材であり、図５に示す如く外縁部が下方に向けて略垂直に折曲されると共に、更に下端部が内方に向けて略垂直に折曲される係止部３５が形成されている。また、固定棚部３４の左右端部には、該固定棚部３４を前記ブラケット３１に係合するためのレール取付部３７が係合されている。
【００２３】
このレール取付部３７は、断面略クランク状に形成される取付部材であり、上面に形成される図示しない係合爪を前記固定棚部３４の左右端部に形成される図示しない係合部に係合することにより取り付けられる。また、このレール取付部３７の外側側面には、図４に示す如く前後に摺動可能とされるレール部材３８が取り付けられる。更にレール取付部３７の下面には、前記ブラケット３１と係合するための係合孔３６が形成されている。この係合孔３６は、ブラケット３１の図示しない係合爪を係合することにより、レール取付部３７は、ブラケット３１に係合される。
【００２４】
前記可動棚部３３は同じく例えば鋼板性材料にて構成される板状部材であり、図４に示す如く外縁部が下方に向けて略垂直に折曲されると共に、更に下端部が内方に向けて略垂直に折曲された後、更に上方に略垂直に折曲される取付部４０が形成されている。この可動棚部３３の左右に形成される取付部４０の内方には、前記レール部材３８と共に前後に摺動可能とするレール部材４１が設けられている。
【００２５】
また、この可動棚部３３の下面、即ち、前記固定棚部３４の上面と重合し、固定棚部３４に対して前後に移動する際に、互いに接触する面には、図１１に示す如く、例えば超高分子量ポリエチレン樹脂にて構成される低摩擦係数を有するシート５０が貼付されている。
【００２６】
これにより、商品の陳列量や商品自体の寸法などに応じて、可動棚部３３を移動し、棚の商品陳列面積を最適な広さに変更する際に、可動棚部３３の下面には、前記シート５０が貼付されているため、可動棚部３３の移動を極めて円滑に行うことができるようになる。
【００２７】
以上の構成により、棚３０の組立手順について説明する。先ず、可動棚部３３の左右に形成される取付部４０内に、前記固定棚部３４の係支部３５を前方又は後方から挿入し、可動棚部３３が固定棚部３４を被覆するように合致させる。その後、レール部材３８が設けられたレール取付部３７の上面に形成される図示しない係合爪を固定棚部３４に予め形成された図示しない係合孔に挿入し、固定棚部３４にレール取付部３７を係合する。これにより、固定棚部３４に固定されるレール部材３８と、可動棚部３３に固定されるレール部材４１は、前後に摺動可能とされる。そして、可動棚部３３と固定棚部３４が一体とされた状態で、レール取付部３７をブラケット３１に固定させる。
【００２８】
次に、図６及び図７を参照して、棚３０に設けられるストッパ４５について説明する。
図６はストッパ４５の透視平面図、図７はストッパ４５の透視側面図を示している。ストッパ４５は、本体４６と係止部材４７とから構成される。この本体４６は、例えば鋼板性材料を断面略コ字状に折曲し、更に、この後部及び両側部の上端を外方に向けて略直角に折曲したフランジ部４８が形成されている。また、この本体４６のどちらか一方の側面には係止部材４７の係止部４９を係止するための係止孔５１が複数形成されている。
【００２９】
係止部材４７の先端には、前記本体４６の係止孔５１に向けて突出すると共に、先細り形状とされる鏃状を形成する係止部４９が形成されており、この係止部材４７の係止孔５１側とは反対側には、本体４６の係止孔５１側とは反対側の側面に対して常に付勢している例えば板状バネ部材などの弾性部材５２が設けられている。そして、この係止部材４７の前端には、係る係止部材４７を前後に移動するためのレバー５３が設けられている。このレバー５３によって、前記弾性部材５２の付勢を解除することができるものとする。
【００３０】
そして、ストッパ４５の本体４６は、図３に示す如く固定棚部３４の下面に取り付けると共に、本体４６に係止部材４７を挿入した状態で、係止部材４７の前端に設けられるレバー５３を可動棚部３３の下面に取り付ける。
【００３１】
以上の構成により、前記可動棚部３３を前方に引き出して使用する場合には、レバー５３を持ち、係止部材４７の弾性部材５２を上方に移動させ、本体４６への付勢を解除する。これにより、係止部材４７の先端は、下方に移動され、係止部材４７の前後移動が可能な状態とされる。そして、この状態からレバー５３を手前側に移動させることにより、固定棚部３４の上部に位置していた可動棚部３３が前方に移動される。
【００３２】
そして、可動棚部３３を引き出せる最大の位置、即ち、係止部材４７の係止部４９が、固定棚部３４の前端に形成された係止部３５に当接するまで移動する。その後、レバー５３による弾性部材５２の付勢状態を元の状態とし、可動棚部３３を前方から後方に向けて押圧することにより、可動棚部３３の位置を後方に移動させる。そして、係止部材４７の係止部４９が本体４６に形成された係止孔５１に係合するまで移動させる。
【００３３】
このとき、係止部材４７の係止部４９は、先細り形状とされた鏃状を呈しているため、係る係止孔５１に位置することによって、係止孔５１と係止部４９を契合させることができる。また更に、可動棚部３３を更に後方に移動させることにより、前記係止孔５１よりも後方に形成される係止孔５１に容易に移動することができる。
【００３４】
これにより、本体４６に形成される係止孔５１にそれぞれ係止部材４７の係止部４９が係合されるため、それぞれの係止孔５１が形成される位置、即ち、停止位置にて可動棚部３３を保持することができるようになる。そのため、係止部材４７の係合する係止孔５１の位置を移動させることにより、自在に商品陳列面積を変化させることができ、商品の陳列量や商品自体の寸法などに応じて、可動棚部３３を移動し、棚の商品陳列面積を最適な広さに変更することができるようになる。これにより、陳列室１１内における商品陳列能力及びレイアウトの自由度を著しく改善することができるようになる。
【００３５】
また、ストッパ４６は、レバー５３による弾性部材５２の解除操作を行うことにより、可動棚部３３の前方への移動を許容することができるため、不用意に可動棚部３３が前方に移動し、顧客の手指などが損傷を蒙る不都合を防止することができる。また、可動棚部３３を後方に移動させる際には、レバー５３による解除操作なしに可動棚部３３の移動を許容するので、棚面積を縮小させる際の操作性も向上される。
【００３６】
一方、前記可動棚部３３の前端には、左右に渡って棚３０に載置される商品のプライス等を表示する表示部材を掲示するためのプライスレール４２が設けられている。また、可動棚部３３の前端上部には、左右に渡って棚３０に載置される商品を係止するための透明板４３が設けられている。
【００３７】
また、可動棚部３３の前端下面には、デックパン９上に陳列された商品を照明するための照明灯４４を保持するための保持具５５が本実施例では２つ設けられており、この保持具５５に照明灯４４が保持されている。
【００３８】
これにより、可動棚部３３の移動に伴って、照明灯４４も移動するため、固定棚部３４側に照明灯４４を取り付ける場合に比べて、照明灯４４が可動棚部３３の移動に干渉することもなくなると共に、常時可動棚部３３下方が照明されることになるので、可動棚部３３を前方に移動した状態で、奥側より手前側が暗くなるような不都合も解消される。
【００３９】
ここで、照明灯４４への給電線５７は、固定棚部３４の下面に例えば保持具５８によって固定されると共に、この給電線５７は、予めある程度の寸法、即ち、後述するヒンジ部材５６が十分に回動される寸法分だけ引き出されると共に、一端が固定棚部３４に回動自在に枢支されたヒンジ部材５６に沿って係るヒンジ部材５６に保持される。
【００４０】
一般的に、平板状のヒンジ部材１００によって固定棚部３４の下面にネジ１０１によって固定すると、図１６に示す如く、ヒンジ部材１００の端部が下方に低く傾いてしまうため、係るヒンジ部材１００に沿って給電線５７を保持すると、給電線５７及びヒンジ部材１００が棚３０の正面から露出するため、外観上好ましくない問題がある。
【００４１】
そこで、本発明の棚３０のヒンジ部材５６は、図１０に示す如く例えば鋼板性の板状部材によって構成され、側端には、上方に向けて少許突出した当接部６０が形成されている。そして、この当接部６０の中央側に近接して図示しない孔が形成されており、ヒンジ部材５６は、この孔によって固定棚部３４の下面に回動自在に取り付けられている。
【００４２】
これにより、ヒンジ部材５６の回動自在に取り付けられていない他端側が低くなる傾きの発生を解消し、回動を円滑化することができるようになる。
【００４３】
更に、このヒンジ部材５６の他端には、可動棚部３３の下面において照明灯４４の左右に設けられたソケット５８から引き出された給電線５７周囲を被覆して保持するための筒体５９が設けられている。
【００４４】
以上の構成により、可動棚部３３が固定棚部３４上に収納されている状態では、ヒンジ部材５６は、側方に回動され、給電線５７はヒンジ部材５６及び筒体５９に沿って収納される。
【００４５】
また、可動棚部３３が手前に引き出された状態では、ヒンジ部材５６は、側方から前方に向けて回動され、給電線５７は、ヒンジ部材５６及び筒体５９に沿って前方に引き出される。
【００４６】
これにより、可動棚部３３の移動に伴い、ヒンジ部材５６が回動されるため、ヒンジ部材５６は、照明灯４４の給電線５７を保持した状態で回動される。そのため、可動棚部３３の移動を許容するための給電線５７の余裕寸法を少なくとも一部をヒンジ部材５６にて保持することができるようになり、照明灯４４の給電線５７が棚３０下方に弛む不都合を抑制して棚３０下面の美観を向上させることができるようになる。また、可動棚部３３の移動時に給電線５７に加わる負荷を軽減することができるようになる。
【００４７】
また更に、ヒンジ部材５６と照明灯４４との間の給電線５７は、筒体５９によって被覆されるため、係るヒンジ部材５６と照明灯４４との間の給電線５７のゆるみを防止することができるようになる。
【００４８】
次に、図１３乃至図１５を参照して、前記ヒンジ部材５６の他の実施例を説明する。図１３は他の実施例としてのヒンジ部材６１を備えた棚３０の底面図、図１４はヒンジ部材６１の平面図、図１５はヒンジ部材６１の回動部の拡大図を示している。本実施例における照明灯４４への給電線５７は、固定棚部３４の下面に保持具５８によって固定されると共に、この給電線５７は、予めある程度の寸法、即ち、後述するヒンジ部材６１に回動される寸法分だけ引き出される。
【００４９】
本実施例におけるヒンジ部材６１は、図１４に示す如く第１のヒンジ部材としての板状部材６２及び第２のヒンジ部材としての６３とから構成されており、この板状部材６２及び６３は、それぞれ両端部に孔６４、６５が形成されている。そして、板状部材６２、６３のそれぞれの端部に形成された孔６４、６５を合致させ、ネジ６６によって回動自在に取り付けることにより、ヒンジ部材６１が構成されている。
【００５０】
そして、このヒンジ部材６１の一端を固定棚部３４に回動自在取り付けると共に、他端を回動棚部３３に回動自在に取り付けることによりヒンジ部材６１が棚３０に保持される。更に、このヒンジ部材６１の板状部材６２及び６３に沿って前記給電線５７を取り付けることにより、給電線５７は棚３０に保持される。
【００５１】
以上の構成により、可動棚部３３の移動に伴い、両板状部材６２、６３によって構成されるヒンジ部材６１は照明灯４４の給電線５７をそれぞれ保持した状態で回動することができる。
【００５２】
これにより、可動棚部３３の移動を許容するための給電線５７の余裕寸法の略全てをヒンジ部材６１にて保持することができるようになり、照明灯４４の給電線５７が棚３０下方に弛む不都合を解消して棚３０下面の美観を著しく向上させることができるようになると共に、可動棚部３３の移動時に給電線５７に加わる負荷も確実に軽減することができるようになる。
【００５３】
【発明の効果】
以上詳述した如く本発明によれば、陳列室内に架設された商品陳列用の棚を備え、この棚には陳列室内を照明するための照明灯を取り付けて成るショーケースにおいて、棚を、陳列室内に固定された固定棚部と、該固定棚部に対して前後移動可能に設けられた可動棚部とから構成し、該可動棚部の停止位置により、棚の商品陳列面積を変更可能としたので、商品の陳列量や商品自体の寸法などに応じて、可動棚部を移動し、棚の商品陳列面積を最適な広さに変更することができるようになる。これにより、陳列室内における商品陳列能力及びレイアウトの自由度を著しく改善することができるようになる。
【００５４】
特に、照明灯は可動棚部の下面に取り付けられているので、可動棚部の移動に伴って照明灯も移動することになる。これにより、固定棚部側に照明灯を取り付ける場合に比べて、照明灯が可動棚部の移動に干渉することも無くなると共に、常時可動棚部下方が照明されることになるので、可動棚部を前方に移動した状態で、奥側より手前側が暗くなるような不都合も解消されるものである。
【００５５】
また、固定棚部の下面に、一端部が当該固定棚部に回動自在に枢支されたヒンジ部材を設け、照明灯への給電線をヒンジ部材に沿って保持させ、該ヒンジ部材の他端部から照明灯に向けて所定寸法引き出すと共に、可動棚部の移動に伴い、ヒンジ部材が回動するよう構成したので、可動棚部の移動に伴い、ヒンジ部材は照明灯の電源線を保持した状態で回動する。
【００５６】
これにより、可動棚部の移動を許容するための電源線の余裕寸法の少なくとも一部をヒンジ部材にて保持することができるようになり、照明灯の電源線が棚下方に弛む不都合を抑制して棚下面の美観を向上させることができるようになると共に、可動棚部の移動時に電源線に加わる負荷も軽減することが可能となるものである。
【００５７】
更に、ヒンジ部材と照明灯間の給電線周囲を、筒体にて被覆したので、ヒンジ部材と照明灯間の給電線の弛みも防止することができるようになるものである。
【００５８】
請求項２の発明によれば、請求項１に加えてヒンジ部材の一端部から延在し、固定棚部下面に摺動自在に当接する当接部を設けたので、ヒンジ部材の他端部側が低くなる傾きの発生を解消し、回動を円滑化することが可能となるものである。
【図面の簡単な説明】
【図１】  本発明のショーケースの縦断側面図である。
【図２】  本発明のショーケースの棚の可動棚部収納時の斜視図である。
【図３】  図２の棚の可動棚部収納時の底面図である。
【図４】  棚の一部拡大縦断正面図である。
【図５】  図２の棚の可動棚部収納時の側面図である。
【図６】  ストッパの透視平面図である。
【図７】  ストッパの透視側面図である。
【図８】  棚の可動棚部使用時の斜視図である。
【図９】  図８の棚の可動棚部使用時の底面図である。
【図１０】  ヒンジ部材の側面図である。
【図１１】  図９における可動棚部の裏面にシートを貼付した状態の底面図である。
【図１２】  図８の棚の可動棚部使用時の側面図である。
【図１３】  他の実施例としてのヒンジ部材を備えた棚の底面図である。
【図１４】  他の実施例としてのヒンジ部材の平面図である。
【図１５】  他の実施例としてのヒンジ部材の回動部の拡大図である。
【図１６】  従来のヒンジ部材の側面図である。
【符号の説明】
１  ショーケース
２  断熱壁
１１  陳列室
３０  棚
３１  ブラケット
３２  照明灯
３３  可動棚部
３４  固定棚部
３５  係止部
３６  係合孔
３７  レール取付部
３８  レール部材
４０  取付部
４１  レール部材
４２  プライスレール
４３  透明板
４４  照明灯
４５  ストッパ
４６  本体
４７  係止部材
４８  フランジ部
４９  係止部
５０  シート
５１  係止孔
５２  弾性部材
５３  レバー
５５  保持具
５６、６１  ヒンジ部材
５７  給電線
５８  保持具
５９  筒体
６０  当接部
６２、６３  板状部材
６４、６５  孔
６６  ネジ
【図１】
0003948889.tif 000002
【図２】
0003948889.tif 000003
【図３】
0003948889.tif 000004
【図４】
0003948889.tif 000005
【図５】
0003948889.tif 000006
【図６】
0003948889.tif 000007
【図７】
0003948889.tif 000008
【図８】
0003948889.tif 000009
【図９】
0003948889.tif 000010
【図１０】
0003948889.tif 000011
【図１１】
0003948889.tif 000012
【図１２】
0003948889.tif 000013
【図１３】
0003948889.tif 000014
【図１４】
0003948889.tif 000015
【図１５】
0003948889.tif 000016
【図１６】
0003948889.tif 000017